(57)【特許請求の範囲】
【請求項１】
年表示部、月表示部、曜日表示部、日数字の記載に沿って孔が穿設された日表示部を備えた正面盤と、前記正面盤の背面に開閉可能に取り付けた箱と、前記孔をスライドさせ当日を認識させる点灯機構とからなることを特徴とする
万年カレンダー。
【請求項２】
前記曜日表示部を、日、月、火、水、木、金、土の順又は月、火、水、木、金、土、日の順で横方向一列に表示した曜日枠１０ａと、前記曜日枠の上部または下部に前記曜日の記載に従って穿設した孔１０ｂとからなる曜日表示部とし、前記日表示部を、一ヶ月分のカレンダー６ａと前記カレンダー６ａに個別に付与された１〜２８のいずれか１つの数字で当月に使用するカレンダーを選択する指標となる整理番号６ｂを備え、前記カレンダー６ａの日の記載に沿って孔７を設けたカレンダーシート６と、カレンダー表示窓５ａと整理番号表示窓５ｂを備え前記正面盤２の正面に隙間５ｄを設けて取り付けた枠体５と、前記枠体５のカレンダー表示窓５ａに対応させて前記正面盤２に設けた開口部２ａとからなり、前記隙間に前記カレンダーシートを差し替えて異なるカレンダーを表示する日表示部としたことを特徴とする請求項１に記載の万年カレンダー。
【請求項３】
前記カレンダーシートの表裏両面に、異なる前記カレンダー及び整理番号を設けたことを特徴とする請求項２に記載の万年カレンダー。
【請求項４】
前記曜日表示部の孔１０ｂを、曜日の始まりである「日」または「月」から曜日の終わりである「土」または「日」に渡って穿設した長孔１０ｃと、各曜日に対応する位置で前記長孔１０ｃの下辺に連接された係止溝１０ｄとからなる孔１０ｂとし、前記カレンダーシートの孔を、各週毎に左端から右端に渡って穿設した長孔と、各日に対応する位置で前記長孔の下辺に連設された係止溝とからなる孔、又は各週毎に左端から右端に渡って穿設した長孔と、各日に対応する位置で前記長孔の下辺に連設された係止溝と、前記長孔の左端同士若しくは右端同士を連結する連結孔とからなる孔としたことを特徴とする請求項２または請求項３のいずれかに記載の万年カレンダー。
【請求項５】
前記箱を、内部を仕切板で上下空間に分けるとともに、前記下空間の開口面側には上下支え板、前記下空間の左右壁面には挿通孔設け前記上空間には前記整理番号に基づく当月の前記カレンダーシートの選択方法を記載し、前記下空間に使用しない前記カレンダーシートを収納する箱とし、前記挿通孔からカレンダーシートを交換可能としたことを特徴とする請求項２乃至請求項４のいずれか１項に記載の万年カレンダー。
【請求項６】
前記下空間を、前記仕切板に対して略垂直に中板を設けて下空間を正面盤側及び箱側の前後に分け、前記カレンダーシートを収納する第１収納部と第２収納部とし、前記第１収納部と第２収納部の左右の壁面に挿通孔を設けた下空間としたことを特徴とする請求項５に記載の万年カレンダー。
【請求項７】
前記日表示部を、１から３１までの日数字を縦方向に一列に表示した日表示カレンダーと、前記日表示カレンダーの全長に沿って穿設した孔及び前記孔に連設し各日にちと対の係止溝と、前記孔をスライドさせ当日を認識させる点灯部材を有する点灯機構とからなる日表示部とし、前記曜日表示部を、日、月、火、水、木、金、土の順番でこれらの文字を縦に複数回繰り返し付した曜日シートと、前記曜日シートをスライド可能に前記正面盤に保持するガイド片からなり、前記曜日シートを前記日表示カレンダーに平行且つ上下にスライド可能に近設した曜日表示部とし、前記曜日シートを上下動させることにより前記日表示カレンダーの各日にちの曜日を変更し、複数のカレンダーパターンを表示可能としたことを特徴とする請求項１に記載の万年カレンダー。
【請求項８】
前記正面盤を、前記曜日表示部を設けた位置の上部と下部に上下孔を穿設し、前記上孔の上部延長線上に縦長の長孔を穿設し、更に前記長孔の背面側左右に金属片を取り付けた正面盤とし、前記曜日シートを、正面側の上部に摘みと磁石を備えた曜日シートとし、前記上下孔に前記曜日シートの上下端を挿通し、前記曜日シートの摘みを前記正面盤の正面側に向かって前記長孔に突出した状態で曜日シートを正面盤に取付け、前記磁石を金属片に磁着させて前記曜日シートの位置を固定すると共に、前記摘みを背面側に押して磁石を金属片から離して曜日シートの固定状態を解除し、前記摘みを上下に移動することにより前記曜日シートをスライドすることができることを特徴とする請求項７に記載の万年カレンダー。
【請求項９】
前記日表示部を、一ヶ月分のカレンダーと前記カレンダーに個別に付与された１〜２８のいずれか１つの数字で当月に使用するカレンダーを選択する指標となる整理番号を備え、前記カレンダーの日の記載に沿って孔を設けたカレンダーシートと、前記正面盤に形成したカレンダー表示窓及び整理番号表示窓と、前記正面盤の背面側に設けた隙間とからなり、前記隙間に前記カレンダーシートを差し替えて異なるカレンダーを表示する日表示部としたことを特徴とする請求項１に記載の万年カレンダー。
【請求項１０】
前記孔には、各日にち又は各曜日のいずれにも対応しない前記点灯部材を待機させる待機溝を連設したことを特徴とする請求項４、請求項７または請求項９のいずれか１項に記載の万年カレンダー。
【請求項１１】
前記年表示部を、周面に０から９の数字を付した円柱状のダイヤルを複数並べて又は円周付近の平面に０から９の数字を付した円盤状のダイヤルを複数並べて、各ダイヤルを回転させて数字を組み合わせることで当年を表示可能とした年表示部とし、前記月表示部を、周面に０から９の数字を付した円柱状のダイヤルを複数並べて又は円周付近の平面に０から９の数字を付した円盤状のダイヤルを複数並べて、各ダイヤルを回転させて数字を組み合わせることで当月を表示可能とした月表示部としたことを特徴とする請求項１乃至請求項１０のいずれか１項に記載の万年カレンダー。
【請求項１２】
前記点灯機構には、平日を表示する点灯部材と、土曜、日曜、祝祭日を表示する異なる色の点灯部材備えることを特徴とする請求項１乃至請求項１１のいずれか１項に記載の
万年カレンダー。
【発明の詳細な説明】
【技術分野】
【０００１】
本発明は、繰り返し使用することができる万年カレンダーに関する。
【背景技術】
【０００２】
従来、多くの人にとって、カレンダーは一年で使い切るもので、毎年見やすいものや好きなデザインのものを選んで買い換えていた。また、このようにカレンダーの使い捨てを嫌う人は万年カレンダーを購入して使用していた。
【０００３】
しかしながら、前記一年使い切りのカレンダーや従来の万年カレンダーは、今日が何日で何曜日であるかを一瞬にして把握することは難しく、新聞や携帯電話で確認することが多かった。
【０００４】
また、従来の万年カレンダーにおいては、月が変わる毎に使用者自身で当月の表記を変えなければならないが、当月の日にち数や開始曜日を何らかの方法で確認しなければならず、手間のかかるものであった。
【０００５】
上記の手間を解消するために、様々な万年カレンダーが考案されてきたが、いずれも構造が複雑でコストがかかるものであったり、若年層や中年層に向けた仕様の万年カレンダーが多く、高齢者にとっては取扱い難しいという問題があった。
【０００６】
中高年（特に高齢者）にとって、以上のような手間や見にくさ、取扱いの難しさは非常に不便なものであり、結局のところ、カレンダーを使用せずに文字の小さい新聞やニュース番組等で今日が何日で何曜日であるかを確認することになっていた。
【０００７】
また、以上のようにカレンダーを使用しない生活が続くことで、カレンダーを見ることによって自然に養われていた日付感覚を鈍らせ、ひいては記憶力の老化を促進するのではないかと懸念されていた。
【先行技術文献】
【特許文献】
【０００８】
【特許文献１】特開平１１−１４９２４５号公報
【発明の概要】
【発明が解決しようとする課題】
【０００９】
そこで、本発明は、若年層から高齢者まで幅広く利用することができ、取扱いが簡単で、一瞬にして今日が何日の何曜日であるかを認識することができる万年カレンダーを提供する。
【課題を解決するための手段】
【００１０】
本発明は、上記の課題を解決するために、年表示部、月表示部、曜日表示部、日数字の記載に沿って孔が穿設された日表示部を備えた正面盤と、前記正面盤の背面に開閉可能に取り付けた箱と、前記孔をスライドさせ当日を認識させる点灯機構とからなることを特徴とする万年カレンダーの構成とした。
【００１１】
また、前記曜日表示部を、日、月、火、水、木、金、土の順又は月、火、水、木、金、土、日の順で横方向一列に表示した曜日枠１０ａと、前記曜日枠の上部または下部に前記曜日の記載に従って穿設した孔１０ｂとからなる曜日表示部とし、前記日表示部を、一ヶ月分のカレンダーと前記カレンダーに個別に付与され当月の指標となる整理番号を備え、前記カレンダーの日の記載に沿って孔を設けたカレンダーシートと、カレンダー表示窓と整理番号表示窓を備え前記正面盤の正面に隙間を設けて取り付けた枠体と、前記枠体のカレンダー表示窓に対応させて前記正面盤２に設けた開口部２ａとからなり、前記隙間に前記カレンダーシートを差し替えて異なるカレンダーを表示する日表示部としたことを特徴とする万年カレンダーの構成とした。
【００１２】
また、前記カレンダーシートの表裏両面に、異なる前記カレンダー及び整理番号を設けたことを特徴とする万年カレンダーの構成とした。
【００１３】
また、前記曜日表示部の孔１０ｂを、曜日の始まりである「日」から曜日の終わりである「土」に渡って穿設した長孔１０ｃと、各曜日に対応する位置で前記長孔１０ｃの下辺に連接された係止溝１０ｄとからなる孔１０ｂとし、前記カレンダーシートの孔を、各週毎に左端から右端に渡って穿設した長孔と、各日に対応する位置で前記長孔の下辺に連設された係止溝とからなる孔、又は各週毎に左端から右端に渡って穿設した長孔と、各日に対応する位置で前記長孔の下辺に連設された係止溝と、前記長孔の左端同士若しくは右端同士を連結する連結孔とからなる孔としたことを特徴とする万年カレンダーの構成とした。
【００１４】
また、前記箱を、内部を仕切板で上下空間に分けるとともに、前記下空間の開口面側には上下支え板、前記下空間の左右壁面には挿通孔設け前記上空間には前記整理番号に基づく当月の前記カレンダーシートの選択方法を記載し、前記下空間に使用しない前記カレンダーシートを収納する箱とし、前記挿通孔からカレンダーシートを交換可能としたことを特徴とする万年カレンダーの構成とした。
【００１５】
また、前記下空間を、前記仕切板に対して略垂直に中板を設けて下空間を正面盤側及び箱側の前後に分け、前記カレンダーシートを収納する第１収納部と第２収納部とし、前記第１収納部と第２収納部の左右の壁面に挿通孔を設けた下空間としたことを特徴とする万年カレンダーの構成とした。
【００１６】
また、前記日表示部を、１から３１までの日数字を縦方向に一列に表示した日表示カレンダーと、前記日表示カレンダーの全長に沿って穿設した孔及び前記孔に連設し各日にちと対の係止溝と、前記孔をスライドさせ当日を認識させる点灯部材を有する点灯機構とからなる日表示部とし、前記曜日表示部を、日、月、火、水、木、金、土の順番でこれらの文字を縦に複数回繰り返し付した曜日シートと、前記曜日シートをスライド可能に前記正面盤に保持するガイド片からなり、前記曜日シートを前記日表示カレンダーに平行且つ上下にスライド可能に近設した曜日表示部とし、前記曜日シートを上下動させることにより前記日表示カレンダーの各日にちの曜日を変更し、複数のカレンダーパターンを表示可能としたことを特徴とする万年カレンダーの構成とした。
【００１７】
また、前記正面盤を、前記曜日表示部を設けた位置の上部と下部に上下孔を穿設し、前記上孔の上部延長線上に縦長の長孔を穿設し、更に前記長孔の背面側左右に金属片を取り付けた正面盤とし、前記曜日シートを、正面側の上部に摘みと磁石を備えた曜日シートとし、前記上下孔に前記曜日シートの上下端を挿通し、前記曜日シートの摘みを前記正面盤の正面側に向かって前記長孔に突出した状態で曜日シートを正面盤に取付け、前記磁石を金属片に磁着させて前記曜日シートの位置を固定すると共に、前記摘みを背面側に押して磁石を金属片から離して曜日シートの固定状態を解除し、前記摘みを上下に移動することにより前記曜日シートをスライドすることができることを特徴とする万年カレンダーの構成とした。
【００１８】
また、前記日表示部を、一ヶ月分のカレンダーと前記カレンダーに個別に付与され当月の指標となる整理番号を備え、前記カレンダーの日の記載に沿って孔を設けたカレンダーシートと、前記正面盤に形成したカレンダー表示窓及び整理番号表示窓と、前記正面盤の背面側に設けた隙間とからなり、前記隙間に前記カレンダーシートを差し替えて異なるカレンダーを表示する日表示部としたことを特徴とする万年カレンダーの構成とした。
【００１９】
また、前記孔には、各日にち又は曜日のいずれにも対応しない前記点灯部材を待機させる待機溝を連設したことを特徴とする万年カレンダーの構成とした。
【００２０】
更に、前記年表示部を、周面に０から９の数字を付した円柱状のダイヤルを複数並べて又は円周付近の平面に０から９の数字を付した円盤状のダイヤルを複数並べて、各ダイヤルを回転させて数字を組み合わせることで当年を表示可能とした年表示部とし、前記月表示部を、周面に０から９の数字を付した円柱状のダイヤルを複数並べて、又は円周付近の平面に０から９の数字を付した円盤状のダイヤルを複数並べて、各ダイヤルを回転させて数字を組み合わせることで当月を表示可能とした月表示部としたことを特徴とする万年カレンダーの構成とした。
【００２１】
加えて、前記点灯機構には、平日を表示する点灯部材と、土曜、日曜、祝祭日を表示する異なる色の点灯部材備えることを特徴とする万年カレンダーの構成とした。
【図面の簡単な説明】
【００２２】
【図１】本発明である万年カレンダーの正面図である。
【図２】本発明である万年カレンダーの側面図である。
【図３】本発明である万年カレンダーを構成する正面盤の背面図である。
【図４】本発明である万年カレンダーを構成する箱の正面図である。
【図５】本発明である万年カレンダーを構成するカレンダーシートを示した図である。
【図６】本発明である万年カレンダーの第２実施例の正面図である。
【図７】本発明である万年カレンダーの第２実施例の側面図である。
【図８】本発明である万年カレンダーの第２実施例を構成する正面盤の背面図である。
【図９】本発明である万年カレンダーの一部断面図である。
【図１０】本発明である万年カレンダーを構成するダイヤル部分を示した図である。
【図１１】本発明である万年カレンダーの第３実施例の正面図である。
【図１２】本発明である万年カレンダーの第３実施例の側面図である。
【発明を実施するための形態】
【００２３】
以下、添付の図面を参照し、本発明の実施の形態について詳細に説明する。
【実施例１】
【００２４】
図１は本発明である万年カレンダーの正面図、図２は万年カレンダーの側面図、図３は万年カレンダーを構成する正面盤の背面図、図４は万年カレンダーを構成する箱の正面図、図５は万年カレンダーを構成するカレンダーシートを示した図である。
【００２５】
図１から図５に示すように、本発明である万年カレンダー１は、年表示部８、月表示部９、曜日表示部１０、日数字の記載に沿って孔７が穿設された日表示部１１を備えた正面盤２と、前記正面盤２の背面に開閉可能に取り付けた箱３と、前記孔７をスライドさせ当日を認識させる点灯機構４とからなる。
【００２６】
図１に示すように、前記年表示部８は西暦と和暦で構成されており、前記正面盤２の西暦表示部分には同型同大の４つの窓２ｂが横一列且つ等間隔に形成されており、前記正面盤２の和暦表示部分には同型同大の２つの窓２ｂが横一列且つ等間隔に形成されている。また、和暦表示部分には年号表示部があり、年号が変わる際に取り替えることができる。取り替え方法については、年号を記載したシートを着脱可能に磁着又は粘着する方法が考えられるが、特に限定したものではなく、取り替え方法に代えて書き換え可能な記入式としてもよい。
【００２７】
前記和暦表示部分の窓２ｂは２つとなっているが、これは特に限定したものではなく、窓２ｂを３つとして３桁表示としてもよい。また、図１では西暦表示部分の下に和暦表示部分を設けているが、和暦表示部分の下に西暦表示部分を配置してもよく、また西暦表示部分及び和暦表示部分を並列としてもよい。更に西暦及び和暦のいずれか一方だけの年表示部８としてもよい。
【００２８】
前記正面盤２の月表示部９には同型同大の２つの窓２ｂが横一列且つ等間隔に形成されている。
【００２９】
前記年表示部８及び月表示部９に形成されてた各窓２ｂの背面側にはそれぞれ円柱状ダイヤル２ｇが回動可能に取り付けられている。この前記円柱状ダイヤル２ｇは周面に０から９の数字が付されており、常に１つの数字が前記窓２ｂから見えるようになっている。これらの円柱状ダイヤル２ｇを回転させ、数字を組み合わせることで当年、当月を表すことができる。
【００３０】
前記曜日表示部１０は、日、月、火、水、木、金、土が記載されており、この順番は特に限定したものではない。即ち、月曜から始まる月、火、水、木、金、土、日であってもよい。
【００３１】
図１から図３に示すように、前記曜日表示部１０は、日、月、火、水、木、金、土の順又は月、火、水、木、金、土、日の順で横方向一列に表示した曜日枠１０ａと、前記曜日枠１０ａの上部または下部に前記曜日の記載に従って穿設した孔１０ｂとからなり、前記孔１０ｂにも点灯機構４の２色の点灯部材４ａ、４ａを配置した。前記点灯部材４ａを当日に該当する曜日の位置に移動させることで、瞬時に今日が何曜日であるかを把握することができる。尚、前記孔１０ｂには、各曜日のいずれにも対応せず、前記点灯部材４ａを待機させるための待機溝１０ｅを連設している。この待機溝１０ｅに使用しない点灯部材方の４ａを待機させることで曜日上に二つの点灯部材４ａ、４ａが併存することにより懸念される見間違いを防ぐことができる。
【００３２】
前記日表示部１１は、一ヶ月分のカレンダー６ａと前記カレンダー６ａに個別に付与され当月の指標となる整理番号６ｂを備え、前記カレンダー６ａの日の記載に沿って孔７を設けたカレンダーシート６と、カレンダー表示窓５ａと整理番号表示窓５ｂを備え前記正面盤２の正面に隙間５ｄを設けて取り付けた枠体５と、前記枠体５のカレンダー表示窓５ａに対応させて前記正面盤２に設けた開口部２ａとからなり、前記隙間５ｄに前記カレンダーシート６を差し替えて異なるカレンダー６ａを表示することができる。
【００３３】
尚、前記カレンダーシート６は表裏両面に、異なるカレンダー６ａ及び整理番号６ｂを設け、全部で１４枚からなる。即ち、１月、３月、５月、７月、８月、１０月、１２月で使用する１ヶ月の日数が３１日あるカレンダーを第一日目が日、月、火、水、木、金、土で始まる７パターン用意し、各パターンの裏面側に４月、６月、９月、１１月で使用する１ヶ月の日数が３０日あるカレンダーの第一日目が日、月、火、水、木、金、土で始まる７パターンを配置して合計７枚で２月を除く月に対応できるカレンダーシートと、２月のうち、１ヶ月の日数が２８日あるカレンダーを第一日目が日、月、火、水、木、金、土で始まる７パターン用意し、各パターンの裏面側に２月のうち１ヶ月の日数が２９日ある閏年のカレンダーの第一日目が日、月、火、水、木、金、土で始まる７パターンを配置して合計７枚で通常の２月と閏年の２月に対応できるカレンダーシートとした。
【００３４】
前記各カレンダー６ａに設けられた整理番号６ｂは、１から２８まであり、図４に示した選択方法３ｇを参照することで、当月がいずれのカレンダー６ａを使用すれば良いのかを確認することができる。また、使用中のカレンダー６ａに対応する整理番号６ｂは、前記枠体５の整理番号表示窓５ｂから確認することができる。
【００３５】
前記カレンダーシート６には孔７が設けられており、前記孔７は、各週毎に左端から右端に渡って穿設した長孔７ａと、各日に対応する位置で前記長孔７ａの下辺に連設された係止溝７ｂとからなる。
【００３６】
また、図５に示すように、前記孔７を各週毎に左端から右端に渡って穿設した長孔７ａと、各日に対応する位置で前記長孔７ａの下辺に連設された係止溝７ｂと、前記長孔７ａの左端同士若しくは右端同士を連結する連結孔７ｃとからなるとしても良い。
【００３７】
前記孔７には色の異なる２つの点灯部材４ａ、４ａが挿入されており、一方を休日を示す赤、他方を休日以外を示す緑とするのが好ましいが、この点灯部材４ａ、４ａの色は特に限定したものではない。
【００３８】
図１及び図３に示すように、前記点灯部材４ａ、４ａは孔７内をスライドさせることができ、いずれか一方の点灯部材４ａを点灯させて今日が何日であるかを一目で確認できるようになっている。
【００３９】
即ち、当日が土日祝祭日である場合は、赤色の点灯部材４ａを点灯させてスライドさせ、該当日の係止溝７ｂに嵌め込み、当日が土日祝祭日以外である場合は、緑色の点灯部材４ａを点灯させてスライドさせ、該当日の係止溝７ｂに嵌め込めばよい。
【００４０】
図１の場合、１週間毎に各点灯部材４ａ、４ａを次の週に挿入し直して使用するが、図５の場合は、全ての週の孔７が連結孔７ｃで連結されているため１ヶ月間は点灯部材４ａ、４ａを嵌め込み直す必要がない。尚、当日を点灯させるために一方の点灯部材４ａを使用している場合、他方の点灯部材４ａはスイッチをオフにし、日にちが記載されていない場所の係止溝７ｂに待機させれば見間違いを防ぐことができる。
【００４１】
図２及び図４に示すように、前記箱３は、内部を仕切板３ａで上下空間３ｂ、３ｃに分けられており、前記下空間３ｃの開口面側には上下支え板３ｄ、３ｅが取り付けられている。更に、前記下空間３ｃの左右壁面には挿通孔３ｆが設けられており、この挿通孔３ｆから使用しないカレンダーシート６を箱３内に収納すること及び使用するカレンダーシート６を引き出すことができる。また、前記上空間３ｂには前記整理番号６ｂに基づく当月のカレンダーシート６の選択方法が記載されている。
【００４２】
更に、前記下空間３ｃは、前記仕切板３ａに対して略垂直に中板３ｈを設けて下空間３ｃを正面盤側及び箱側の前後に分け、前記カレンダーシートを収納する第１収納部３ｉと第２収納部３ｊとし、前記第１収納部３ｉと第２収納部３ｊの左右の壁面に挿通孔３ｆを設けた。
【００４３】
以上のように第１収納部３ｉと第２収納部３ｊを分けて、前述のカレンダーシート６を２月で使用するカレンダーシート６と、２月以外で使用するカレンダーシート６に分けて収納することでカレンダーシート６の取り替えをスムーズに行うことができる。尚、符号１２は蝶番を示しており、前記正面盤２と箱３は蝶番１２により開閉可能に連結されている。但し、正面盤２と箱３の連結方法は蝶番１２によるものに限定したものではない。
【００４４】
図３に示すように、前記点灯機構４は、電源４ｄと異なる色の点灯部材４ａ、４ａ、４ａ、４ａとからなり、前記電源４ｄと点灯部材４ａはコード４ｂで接続されている。また、各コード４ｂにはスイッチ４ｃ、４ｃ、４ｃ、４ｃが取り付けられており、このスイッチ４ｃ、４ｃ、４ｃ、４ｃを操作することで各点灯部材４ａを点灯消灯させる。
【００４５】
尚、図３に示すように、前記円柱状ダイヤル２ｇは共通の軸２ｅにより各々回動可能に連結されており、前記軸２ｅの両端を取付部材２ｄを介して正面盤２の背面に取り付けている。符号２ｆは軸２ｅが取付部材２ｄから外れないようにするために取り付けた留め具である。
【００４６】
また、図１に示した符号５ｃは枠体５の左右に設けた凹部５ｃを示しており、図３に示した符号２ｃは正面盤２の左右に設けた凹部を示している。この凹部２ｃ、５ｃによりカレンダーシート６の左右辺を摘みやすく、カレンダーシート６の交換の際にスムーズに行うことができる。
【００４７】
更に、図１に示すように、前記枠体５の周面には各月の日数表示５ｅが印されており、カレンダーシート６の交換の際に役立てることができる。
【実施例２】
【００４８】
図６は本発明である万年カレンダーの第２実施例の正面図、図７は万年カレンダーの第２実施例の側面図、図８は万年カレンダーの第２実施例を構成する正面盤の背面図、図９は万年カレンダーの一部断面図、図１０は万年カレンダーを構成するダイヤル部分を示した図である。
【００４９】
図６から図９に示すように、本発明である万年カレンダー１ａは、年表示部８、月表示部９、曜日表示部１４、日数字の記載に沿って孔１５ｂが穿設された日表示部１５を備えた正面盤１３と、前記正面盤１３の背面に開閉可能に取り付けた箱１６と、前記孔１５ｂをスライドさせ当日を認識させる点灯機構４とからなる。
【００５０】
前記日表示部１５は、１から３１までの日数字を縦方向に一列に表示した日表示カレンダー１５ａと、前記日表示カレンダー１５ａの全長に沿って穿設した孔１５ｂ及び前記孔１５ｂに連設し各日にちと対の係止溝１５ｃと、前記孔１５ｂをスライドさせ当日を認識させる点灯部材４ａを有する点灯機構４とからなる。
【００５１】
尚、前記孔１５ｂには、各日にちのいずれにも対応せず、前記点灯部材４ａを待機させるための待機溝１５ｄを連設している。この待機溝１５ｄによりカレンダー上に二つの点灯部材４ａ、４ａが併存することにより懸念される見間違いを防ぐことができる。
【００５２】
前記曜日表示部１４は、日、月、火、水、木、金、土の順番でこれらの文字を縦に複数回繰り返し付した曜日シート１４ａと、前記曜日シート１４ａをスライド可能に前記正面盤１３に保持するガイド片１４ｃ、１４ｃからなり、前記日表示カレンダー１５ａに平行且つ上下にスライド可能に近設されている。前記ガイド片１４ｃは磁石を磁着することができる金属製であることが望ましいが、特に限定したものではない。
【００５３】
前記曜日シート１４ａを上下動させることにより前記日表示カレンダー１５ａの各日にちの曜日を変更し、複数のカレンダーパターンを表示することができる。
【００５４】
前記正面盤１３には、前記曜日表示部１４を設けた位置の上部と下部に上下孔１３ｅ、１３ｆを穿設し、前記上孔１３ｅの上部延長線上に縦長の長孔１３ｇを穿設し、更に前記長孔１３ｇの背面側左右に金属片１４ｄ、１４ｄを取り付けられており、前記上下孔１３ｅ、１３ｆに前記曜日シート１４ａの上下端が挿通されている。
【００５５】
図９に示すように、前記曜日シート１４ａは、正面側の上部に摘み１４ｂと磁石１４ｅを備えており、前記曜日シート１４ａの摘み１４ｂを前記正面盤１３の背面側から正面側に向かって前記長孔１３ｇに突出した状態で正面盤１３に取付けられている。
【００５６】
前記曜日シート１４ａは、前記磁石１４ｅを金属片１４ｄに磁着させて位置を固定され、前記摘み１４ｂを背面側に押して磁石１４ｅを金属片１４ｄから離して曜日シート１４ａの固定状態を解除することができる。解除状態では、前記摘み１４ｅを上下に移動することにより前記曜日シート１４ａ全体を上下にスライドすることができる。
【００５７】
尚、図９に示すように、上孔１３ｅの上部背面側と上孔１３ｅの下部正面側にはそれぞれ傾斜１３ｈを形成しており、この傾斜１３ｈにより前記曜日シート１４ａをスムーズに上下スライドさせることができる。この傾斜１３ｈは下孔１３ｆの上部正面側と下部背面側にも形成されている。
【００５８】
図６及び図７に示すように、前記正面盤１３には下部にトレー１３ａが取り付けられている。このトレー１３ａは、正面盤１３に対して正面に向かって略垂設されており、小物等をおくことができる。
【００５９】
更に、前記トレー１３ａ付近には連結部材１３ｄを介してシート１３ｂが取り付けられており、このシート１３ｂの背面には磁石１３ｃが取り付けられている。
【００６０】
前記シート１３ｂは日表示カレンダー１５ａの下部に表示されている２９、３０、３１の数字を隠すためのシートであり、前記ガイド片１４ｃに磁着して使用する。即ち、４月、６月、９月、１１月では３１日を隠し、２月では２９〜３１若しくは閏年の２月では３０、３１日を隠して使用する。
【００６１】
但し、ガイド片１４ｃが金属製ではなく磁着することが出来ない場合は、前記磁石１３ｃに代えてシート１３ｂをガイド片１４ｃに着脱できる素材を使用する。尚、図６に示すように、日表示カレンダー１５ａの各日にちに対応する記事欄１７を設けて、予定等を書き込むことができる。
【００６２】
更に、図６に示すように、前記正面盤１３の周面には各月の日数表示５ｅが印されており、当月が何日まで必要であるかを知る際に役立てることができる。
【００６３】
図８に示すように、前記点灯機構４は、実施例１に示した点灯機構４と同じである。即ち、電源４ｄと２色の点灯部材４ａ、４ａとからなり、前記電源４ｄと点灯部材４ａはコード４ｂで接続されている。また、各コード４ｂにはスイッチ４ｃ、４ｃが取り付けられており、このスイッチ４ｃ、４ｃを操作することで各点灯部材４ａを点灯消灯させる。
【００６４】
また、図８に示すように、前記円柱状ダイヤル２ｇの正面盤１３への取付も実施例１で示した取付と同様である。即ち、前記円柱状ダイヤル２ｇは共通の軸２ｅにより各々回動可能に連結されており、前記軸２ｅの両端を取付部材２ｄを介して正面盤１３の背面に取り付けている。符号２ｆは軸２ｅが取付部材２ｄから外れないようにするために取り付けた留め具である。
【００６５】
また、図示はしていないが、前記正面盤１３と箱１６は蝶番により開閉可能に連結されている。但し、正面盤１３と箱１６の連結方法は蝶番によるものに限定したものではない。
【００６６】
図１０に示すように、実施例１及び実施例２で示した前記年表示部８及び月表示部９の円柱状ダイヤル２ｇに代えて、円周付近の平面に０から９の数字を付した円盤状のダイヤルとしてもよい。
【実施例３】
【００６７】
図１１は本発明である万年カレンダーの第３実施例の正面図、図１２は万年カレンダーの第３実施例の側面図である。
【００６８】
図１１に示すように、万年カレンダー１ｂは、実施例１で示した万年カレンダー１の正面盤２の一部と日表示部の構成が異なるのみで、他の部分については、同じ構成をしている。
【００６９】
即ち、図１１及び図１２に示すように、本発明である万年カレンダー１ｂは、年表示部８、月表示部９、曜日表示部１０、日数字の記載に沿って孔７が穿設された日表示部１１を備えた正面盤２と、前記正面盤２の背面に開閉可能に取り付けた箱３と、前記孔７をスライドさせ当日を認識させる点灯機構４とからなる。
【００７０】
前記正面盤２は、一枚の板からなり、下半分にカレンダー表示窓２ｉを設け、前記カレンダー表示窓２ｉの右側上部に整理番号表示窓２ｊを形成し、更に前記カレンダー表示窓２ｉの左右にあたる縁には凹部２ｃ、２ｃが形成されている。
【００７１】
また、前記正面盤２の下半分の背面側は隙間２ｌを設けるために一段薄くなっており、正面盤２と箱３を重ねた際にカレンダーシート６を抜き差しするための隙間２ｌができるようになっている。尚、前記隙間２ｌの箱３側の上下端に支え板２ｍを取り付けてもよく、この支え板２ｍにより、正面盤２を開けた際に使用中のカレンダーシート６の落下を防止することができる。
【００７２】
前記日表示部１１は、一ヶ月分のカレンダーと前記カレンダーに個別に付与され当月の指標となる整理番号６ｂを備え、前記カレンダーの日の記載に沿って孔７を設けたカレンダーシート６と、前記正面盤２に形成したカレンダー表示窓２ｉ及び整理番号表示窓２ｊと、前記正面盤２の背面側に設けた隙間２ｌとからなり、前記隙間２ｌに前記カレンダーシート６を差し替えて異なるカレンダーを表示する日表示部１１とした。
【００７３】
前記年表示部８は西暦と和暦で構成されている。前記正面盤２の西暦表示部分には同型同大の４つの窓２ｂが横一列且つ等間隔に形成されており、前記正面盤２の和暦表示部分には同型同大の２つの窓２ｂが横一列且つ等間隔に形成されている。また、和暦表示部分には年号表示部があり、年号が変わる際に取り替えることができる。取り替え方法については、年号を記載したシートを着脱可能に磁着又は粘着する方法が考えられるが、特に限定したものではなく、取り替え方法に代えて書き換え可能な記入式としてもよい。
【００７４】
前記和暦表示部分の窓２ｂは２つとなっているが、これは特に限定したものではなく、窓２ｂを３つとして３桁表示としてもよい。西暦表示部分の下に和暦表示部分を設けているが、和暦表示部分の下に西暦表示部分を配置してもよく、また西暦表示部分及び和暦表示部分を並列としてもよい。更に西暦及び和暦のいずれか一方だけの年表示部８としてもよい。
【００７５】
前記正面盤２の月表示部９には同型同大の２つの窓２ｂが横一列且つ等間隔に形成されており、前記年表示部８及び月表示部９に形成されてた各窓２ｂの背面側にはそれぞれ円柱状ダイヤル２ｇが回動可能に取り付けられている。この前記円柱状ダイヤル２ｇは周面に０から９の数字が付されており、常に１つの数字が前記窓２ｂから見えるようになっている。これらの円柱状ダイヤル２ｇを回転させ、数字を組み合わせることで当年、当月を表すことができる。
【００７６】
前記曜日表示部１０は、日、月、火、水、木、金、土の順又は月、火、水、木、金、土、日の順で横方向一列に表示した曜日枠１０ａと、前記曜日枠１０ａの上部または下部に前記曜日の記載に従って穿設した孔１０ｂとからなり、前記孔１０ｂにも点灯機構４の２色の点灯部材４ａを配置した。尚、前記孔１０ｂには、各曜日のいずれにも対応せず、前記点灯部材４ａを待機させるための待機溝１０ｅを連設している。この待機溝１０ｅにより曜日上に二つの点灯部材４ａ、４ａが併存することにより懸念される見間違いを防ぐことができる。前記点灯部材４ａを当日に該当する曜日の位置に移動させることで、瞬時に今日が何曜日であるかを把握することができる。
【産業上の利用可能性】
【００７７】
本発明である万年カレンダーは、取扱いが簡単であるため、あらゆる年齢層の人が利用することができ、何日であるかが一目瞭然で見やすく、月単位で表示するため日付感覚を養うことができ、万年に渡って使用することができるため経済的であり、カレンダーを必要とするあらゆる分野に多大な貢献をもたらす。
【符号の説明】
【００７８】
１      万年カレンダー
１ａ    万年カレンダー
１ｂ    万年カレンダー
２      正面盤
２ａ    開口部
２ｂ    窓
２ｃ    凹部
２ｄ    取付部材
２ｅ    軸
２ｆ    留め具
２ｇ    円柱状ダイヤル
２ｈ    円盤状ダイヤル
２ｉ    カレンダー表示窓
２ｊ    整理番号表示窓
２ｋ    各月の日数表示
２ｌ    隙間
２ｍ    支え板
３      箱
３ａ    仕切板
３ｂ    上空間
３ｃ    下空間
３ｄ    上支え板
３ｅ    下支え板
３ｆ    挿通孔
３ｇ    選択方法
３ｈ    中板
３ｉ    第１収納部
３ｊ    第２収納部
４      点灯機構
４ａ    点灯部材
４ｂ    コード
４ｃ    スイッチ
４ｄ    電源
５      枠体
５ａ    カレンダー表示窓
５ｂ    整理番号表示窓
５ｃ    凹部
５ｄ    隙間
５ｅ    各月の日数表示
６      カレンダーシート
６ａ    カレンダー
６ｂ    整理番号
７      孔
７ａ    長孔
７ｂ    係止溝
７ｃ    連結孔
８      年表示部
９      月表示部
１０    曜日表示部
１０ａ  曜日枠
１０ｂ  孔
１０ｃ  長孔
１０ｄ  係止溝
１０ｅ  待機溝
１１    日表示部
１２    蝶番
１３    正面盤
１３ａ  トレイ
１３ｂ  シート
１３ｃ  磁石
１３ｄ  連結部材
１３ｅ  上孔
１３ｆ  下孔
１３ｇ  長孔
１３ｈ  傾斜
１４    曜日表示部
１４ａ  曜日シート
１４ｂ  摘み
１４ｃ  ガイド片
１４ｄ  金属片
１４ｅ  磁石
１５    日表示部
１５ａ  日表示カレンダー
１５ｂ  孔
１５ｃ  係止溝
１５ｄ  待機溝
１６    箱
【要約】 
【課題】若年層から高齢者まで幅広く利用することができ、取扱いが簡単で、一瞬にして今日が何日の何曜日であるかを認識することができる万年カレンダーを提供する。
【解決手段】本発明は、上記課題を解決するため、年表示部、月表示部、曜日表示部、日数字の記載に沿って孔が穿設された日表示部を備えた正面盤と、前記正面盤の背面に開閉可能に取り付けた箱と、前記孔をスライドさせ当日を認識させる点灯機構とからなることを特徴とする万年カレンダーの構成とした。
【選択図】  図１【図１】
0004616420.tif 000002
【図２】
0004616420.tif 000003
【図３】
0004616420.tif 000004
【図４】
0004616420.tif 000005
【図５】
0004616420.tif 000006
【図６】
0004616420.tif 000007
【図７】
0004616420.tif 000008
【図８】
0004616420.tif 000009
【図９】
0004616420.tif 000010
【図１０】
0004616420.tif 000011
【図１１】
0004616420.tif 000012
【図１２】
0004616420.tif 000013